(57)【要約】      （修正有）【課題】迷光が少なく、画像形成、画像取得の精度の高いレンズミラーアレイ及び画像形成装置を提供する。【解決手段】光が入射する方向から順に、第１のレンズ面８１、第１のミラー面８２、第２のミラー面８３、及び第２のレンズ面８４を備える光学エレメント７２が複数配列され、且つそれらレンズ面及びミラー面が光学エレメントの配列方向に直交する対称面に対してそれぞれ対称に形成されたレンズミラーアレイであって、配列方向において対称面を挟む位置に第１のミラー面と辺を共有して形成された１対以上の第１の遮光面８５と、光学エレメントの第１のミラー面と同じ側の第１のミラー面よりも第２のレンズ面に近い側に形成された第２の遮光面８７と、隣り合う２つの光学エレメントに亘って第２の遮光面と直交する方向に第２の遮光面から窪んで形成され、且つ前記光学エレメントの配列方向に対して傾斜した１対の第３の遮光面９３を構成する凹部とを備える。【選択図】図５
2018128644.tif 000002
【特許請求の範囲】
【請求項１】
光が入射する第１のレンズ面、前記第１のレンズ面に入射した光を反射する第１のミラー面、前記第１のミラー面により反射した光を反射する第２のミラー面、及び前記第２のミラー面により反射した光を出射する第２のレンズ面を備える光学エレメントが複数配列され、且つ前記第１のレンズ面、前記第１のミラー面、前記第２のミラー面、及び前記第２のレンズ面が前記光学エレメントの配列方向に直交する対称面に対してそれぞれ対称に形成されたレンズミラーアレイであって、
前記光学エレメントは、
前記光学エレメントの配列方向において前記対称面を挟む位置に前記第１のミラー面と辺を共有して形成された１対以上の第１の遮光面と、
前記光学エレメントの前記第１のミラー面と同じ側の前記第１のミラー面よりも前記第２のレンズ面に近い側に形成された第２の遮光面と、
隣り合う２つの前記光学エレメントに亘って前記第２の遮光面と直交する方向に前記第２の遮光面から窪んで形成され、且つ前記光学エレメントの配列方向に対して傾斜した１対の第３の遮光面を構成する凹部と、
前記第１の遮光面、前記第２の遮光面、及び前記第３の遮光面に亘って形成された遮光層と、
を備えるレンズミラーアレイ。
【請求項２】
前記第３の遮光面は、前記光学エレメントの配列方向において前記共通対称面と所定距離離れた位置に形成される請求項１に記載のレンズミラーアレイ。
【請求項３】
前記凹部の底部は、隣り合う前記光学エレメントにおいて対向する２つの第１の遮光面の間の面と連続した面として形成される請求項１に記載のレンズミラーアレイ。
【請求項４】
光を出射する複数の発光素子を備える発光部と、
前記発光素子からの光が入射する第１のレンズ面、前記第１のレンズ面に入射した光を反射する第１のミラー面、前記第１のミラー面により反射した光を反射する第２のミラー面、及び前記第２のミラー面により反射した光を結像対象の面に結像させる第２のレンズ面を備える光学エレメントが複数配列され、且つ前記第１のレンズ面、前記第１のミラー面、前記第２のミラー面、及び前記第２のレンズ面が前記光学エレメントの配列方向に直交する対称面に対してそれぞれ対称に形成されたレンズミラーアレイと、
を備え、
前記光学エレメントは、
前記光学エレメントの配列方向において前記対称面を挟む位置に前記第１のミラー面と辺を共有して形成された１対以上の第１の遮光面と、
前記光学エレメントの前記第１のミラー面と同じ側の前記第１のミラー面よりも前記第２のレンズ面に近い側に形成された第２の遮光面と、
隣り合う２つの前記光学エレメントに亘って前記第２の遮光面と直交する方向に前記第２の遮光面から窪んで形成され、且つ前記光学エレメントの配列方向に対して傾斜した１対の第３の遮光面を構成する凹部と、
前記第１の遮光面、前記第２の遮光面、及び前記第３の遮光面に亘って形成された遮光層と、
を備える画像形成装置。
【請求項５】
紙葉類が載置される原稿台の中の長方形状の読取範囲に対して光を照射する照明と、
光を電気信号に変換して画像を形成する画素がライン状に配列されたイメージセンサと、
前記読取範囲からの光が入射する第１のレンズ面、前記第１のレンズ面に入射した光を反射する第１のミラー面、前記第１のミラー面により反射した光を反射する第２のミラー面、及び前記第２のミラー面により反射した光を前記イメージセンサの画素に結像させる第２のレンズ面を備える光学エレメントが複数配列され、且つ前記第１のレンズ面、前記第１のミラー面、前記第２のミラー面、及び前記第２のレンズ面が前記光学エレメントの配列方向に直交する対称面に対してそれぞれ対称に形成されたレンズミラーアレイと、
を備え、
前記光学エレメントは、
前記光学エレメントの配列方向において前記対称面を挟む位置に前記第１のミラー面と辺を共有して形成された１対以上の第１の遮光面と、
前記光学エレメントの前記第１のミラー面と同じ側の前記第１のミラー面よりも前記第２のレンズ面に近い側に形成された第２の遮光面と、
隣り合う２つの前記光学エレメントに亘って前記第２の遮光面と直交する方向に前記第２の遮光面から窪んで形成され、且つ前記光学エレメントの配列方向に対して傾斜した１対の第３の遮光面を構成する凹部と、
前記第１の遮光面、前記第２の遮光面、及び前記第３の遮光面に亘って形成された遮光層と、
を備える画像形成装置。
【発明の詳細な説明】
【技術分野】
【０００１】
本発明の実施形態は、レンズミラーアレイ及び画像形成装置に関する。
【背景技術】
【０００２】
画像形成装置は、ライン状に構成された光学部品（レンズミラーアレイ）を介して印刷用の画像データ（印刷データ）に応じて点灯・消灯の動作が行われた１列または複数列のLEDアレイからの放射光を感光ドラム上に結像させることにより、感光ドラムに潜像（静電潜像）を形成する。画像形成装置は、感光ドラムに形成された潜像にトナー（現像剤）を付着させ、潜像に付着したトナーを紙葉類に転写して紙葉類上にトナー像を形成し、トナー像を定着させて紙葉類に画像を形成する。
【０００３】
また、画像形成装置は、レンズミラーアレイを介して、紙葉類に照射された光の反射光を１列または複数列のライン状に構成されたイメージセンサに結像させる。画像形成装置は、イメージセンサに蓄積された電荷を読み出しディジタル信号に変換することによって、紙葉類の画像を取得する。
【０００４】
レンズミラーアレイは、光が入射する第１のレンズ面、第１のレンズ面に入射した光を反射する第１のミラー面、第１のミラー面により反射した光を反射する第２のミラー面、及び第２のミラー面により反射した光を出射する第２のレンズ面を備える光学エレメント（optical element）が複数配列された構造を備える。また、日本国特開２０１６−１３８９４７号公報には、ある光学エレメントの第１のレンズ面に入射した光が、他の光学エレメントに入射することを防ぐ遮光面を備えるレンズミラーアレイが開示されている。
【発明の概要】
【発明が解決しようとする課題】
【０００５】
上記のレンズミラーアレイは、光学エレメントの配列方向に沿って並ぶ１対の遮光面を光学エレメント毎に備える。１対の遮光面は、それぞれ第１のミラー面と辺を共有する位置に設けられる。
【０００６】
レンズミラーアレイは、射出成形により形成される。この為、金型を製作する際に使用する工具の角Rに起因して金型の角部に曲面が形成される。また、成形時に金型のエッジ部の先まで樹脂が充填できない可能性がある。この結果、レンズミラーアレイの遮光面と第１のミラー面との間に曲面が形成されてしまう。この為、第１のレンズ面に入射した光の一部が、遮光面と第１のミラー面との間の曲面によって反射されることによって、他の光学エレメント（element）の第２のミラー面や、第２のレンズ面に到達する迷光になる可能性がある。このような迷光が生じることによって、紙葉類への画像の形成、及び紙葉類の画像の取得の精度を低下するという課題がある。
【０００７】
本発明は、迷光が少なく、画像形成及び画像取得の精度の高いレンズミラーアレイ、及び画像形成装置を提供することを目的とする。
【課題を解決するための手段】
【０００８】
一実施形態に係るレンズミラーアレイは、光が入射する第１のレンズ面、前記第１のレンズ面に入射した光を反射する第１のミラー面、前記第１のミラー面により反射した光を反射する第２のミラー面、及び前記第２のミラー面により反射した光を出射する第２のレンズ面を備える光学エレメントが複数配列され、且つ前記第１のレンズ面、前記第１のミラー面、前記第２のミラー面、及び前記第２のレンズ面が前記光学エレメントの配列方向に直交する対称面に対してそれぞれ対称に形成されたレンズミラーアレイであって、前記光学エレメントは、前記光学エレメントの配列方向において前記対称面を挟む位置に前記第１のミラー面と辺を共有して形成された１対以上の第１の遮光面と、前記光学エレメントの前記第１のミラー面と同じ側の前記第１のミラー面よりも前記第２のレンズ面に近い側に形成された第２の遮光面と、隣り合う２つの前記光学エレメントに亘って前記第２の遮光面と直交する方向に前記第２の遮光面から窪んで形成され、且つ前記光学エレメントの配列方向に対して傾斜した１対の第３の遮光面を構成する凹部と、前記第１の遮光面、前記第２の遮光面、及び前記第３の遮光面に亘って形成された遮光層と、を備える。
【図面の簡単な説明】
【０００９】
【図１】図１は、第１の実施形態に係る画像形成装置の構成例について説明する為の図である。
【図２】図２は、第１の実施形態に係る画像形成装置の一部の構成例について説明する為の図である。
【図３】図３は、第１の実施形態に係る画像形成装置の一部の構成例について説明する為の図である。
【図４】図４は、第１の実施形態に係るレンズミラーアレイの構成例について説明する為の図である。
【図５】図５は、第１の実施形態に係るレンズミラーアレイの一部の構成例について説明する為の図である。
【図６】図６は、第１の実施形態に係るレンズミラーアレイの一部の構成例について説明する為の図である。
【図７】図７は、第１の実施形態に係るレンズミラーアレイの一部の構成例について説明する為の図である。
【図８】図８は、第１の実施形態に係るレンズミラーアレイの一部の構成例について説明する為の図である。
【図９】図９は、第２の実施形態に係るレンズミラーアレイの一部の構成例について説明する為の図である。
【図１０】図１０は、第２の実施形態に係るレンズミラーアレイの一部の他の構成例について説明する為の図である。
【発明を実施するための形態】
【００１０】
以下、第１の実施形態に係る画像形成装置及びレンズミラーアレイについて図面を参照して説明する。  
まず、第１の実施形態に係る画像形成装置１について説明する。図１は、第１の実施形態に係る画像形成装置１の構成例を示す説明図である。
【００１１】
画像形成装置１は、例えば、紙葉類Ｐなどの記録媒体を搬送しながら画像形成等の各種処理を行う固体走査方式のプリンタ（例えばＬＥＤプリンタ）である。画像形成装置１は、感光ドラムを帯電させ、ライン状に構成された光学部品（レンズミラーアレイ）を介して印刷用の画像データ（印刷データ）に応じて点灯・消灯の動作が行われた１列または複数列のLEDアレイからの放射光を感光ドラム上に結像させることにより、感光ドラムに潜像（静電潜像）を形成する。また、画像形成装置１は、感光ドラムに形成された潜像にトナー（現像剤）を付着させ、潜像に付着したトナーを紙葉類Ｐに転写して紙葉類Ｐ上にトナー像を形成する。また、画像形成装置１は、トナー像が形成された紙葉類Ｐを、ヒータによって高熱に熱された定着ローラによって挟み、紙葉類Ｐ上に形成されたトナー像を定着させる。
【００１２】
また、画像形成装置１は、紙葉類Ｐに照射された光の反射光をレンズミラーアレイによってイメージセンサに結像させ、イメージセンサに蓄積された電荷を読み出しディジタル信号に変換することによって、紙葉類Ｐの画像を取得する画像読取装置としても機能する。
【００１３】
画像形成装置１は、筐体１１、原稿台１２、スキャナ部１３、自動原稿搬送部（ＡＤＦ）１４、給紙カセット１５、排紙トレイ１６、画像形成部１７、搬送部１８、及び主制御部１９を備える。またさらに、画像形成装置１は、操作入力を受け付ける操作Ｉ／Ｆ、及び他の機器と通信する為の通信Ｉ／Ｆなどを備えていてもよい。なお、原稿台１２、スキャナ部１３、及び自動原稿搬送部（ＡＤＦ）１４は、上記の画像読取装置を構成する部品である。
【００１４】
筐体１１は、原稿台１２、スキャナ部１３、ＡＤＦ１４、給紙カセット１５、排紙トレイ１６、画像形成部１７、搬送部１８、及び主制御部１９を保持する本体である。
【００１５】
原稿台１２は、原稿としての紙葉類Ｐが載置される部分である。原稿台１２は、原稿としての紙葉類Ｐが載置されるガラス板２１と、このガラス板２１の原稿としての紙葉類Ｐが載置される載置面２２と逆側の面に位置する空間２３とを有する。
【００１６】
ＡＤＦ１４は、紙葉類Ｐを搬送する機構である。ＡＤＦ１４は、原稿台１２上に開閉自在に設けられている。ＡＤＦ１４は、トレイに配置された紙葉類Ｐを取り込み、取り込んだ紙葉類Ｐを原稿台１２のガラス板２１に密着させつつ搬送する。
【００１７】
スキャナ部１３は、紙葉類Ｐから画像を取得する。スキャナ部１３は、原稿台１２の載置面２２と逆側の空間２３に配置される。図２は、スキャナ部１３の構成例について説明する為の説明図である。スキャナ部１３は、イメージセンサ３１、レンズミラーアレイ３２、照明３３、遮光体３４、筐体３５、及び基板３６を備える。
【００１８】
イメージセンサ３１は、光を電気信号（画像信号）に変換する画素がライン状に配列された撮像素子である。イメージセンサ３１の画素の配列方向を主走査方向Ｍ１と称する。イメージセンサ３１は、例えばＣｈａｒｇｅ  Ｃｏｕｐｌｅｄ  Ｄｅｖｉｃｅ（ＣＣＤ）、Ｃｏｍｐｌｉｍｅｎｔａｒｙ  Ｍｅｔａｌ  Ｏｘｉｄｅ  Ｓｅｍｉｃｏｎｄｕｃｔｏｒ（ＣＭＯＳ）、または他の撮像素子により構成される。
【００１９】
レンズミラーアレイ３２は、所定の読取範囲からの光をイメージセンサ３１の画素に結像させる光学部品である。レンズミラーアレイ３２の読取範囲は、原稿台１２の載置面２２上の長方形状の領域である。レンズミラーアレイ３２は、原稿台１２の載置面２２に置かれた紙葉類Ｐによって反射し、ガラス板２１を透過した光をイメージセンサ３１の画素に結像させる。なお、レンズミラーアレイ３２の詳細な構成については後述する。
【００２０】
照明３３は、紙葉類Ｐに光を照射する。照明３３は、光源と、光源からの光を紙葉類Ｐに照射させる導光体とを備える。照明３３は、光源から発せられた光を導光体によってレンズミラーアレイ３２の読取範囲を含む領域に照射する。
【００２１】
遮光体３４は、光を遮光する部材である。遮光体３４は、例えば表面に遮光材が塗布された部材である。遮光体３４は、レンズミラーアレイ３２の読取範囲以外の領域からの光がレンズミラーアレイ３２に入射することを防ぐような形状及び位置に構成されている。
【００２２】
筐体３５は、イメージセンサ３１、レンズミラーアレイ３２、照明３３、遮光体３４、及び基板３６を支持し且つ位置決めする部材である。また、筐体３５は、レンズミラーアレイ３２から出射される光の一部を遮光する遮光部を備える。遮光部は、イメージセンサ３１に入射すると迷光となる光や、レンズミラーアレイ３２からイメージセンサ３１に入射しない方向に出射された光を遮光する。
【００２３】
基板３６は、イメージセンサ３１、イメージセンサ３１から画像信号の読み出し及び画像信号に対する信号処理を行って画像を取得する信号処理部、及び画像を一時的に記憶するメモリなどが搭載された部品である。
【００２４】
原稿台１２の載置面２２に紙葉類Ｐが載置されている場合、スキャナ部１３は、主走査方向Ｍ１と直交し、且つ載置面２２と平行な方向である副走査方向Ｓ１に図示されない駆動機構によって駆動される。スキャナ部１３は、副走査方向Ｓ１に駆動されるとともに、イメージセンサ３１により連続的に１ラインずつ画像を取得することにより、原稿台１２の載置面２２に置かれた紙葉類Ｐの全体の画像を取得する。
【００２５】
また、ＡＤＦ１４により紙葉類Ｐが搬送されている場合、スキャナ部１３は、ＡＤＦ１４により紙葉類Ｐが密着される位置と対向する位置に駆動される。スキャナ部１３は、ＡＤＦ１４により搬送される紙葉類Ｐからイメージセンサ３１により連続的に１ラインずつ画像を取得することにより、ＡＤＦ１４により搬送される紙葉類Ｐの全体の画像を取得する。
【００２６】
給紙カセット１５は、紙葉類Ｐを収容するカセットである。給紙カセット１５は、筐体１１の外部から紙葉類Ｐを供給可能に構成されている。例えば、給紙カセット１５は、筐体１１から引き出し可能に構成されている。
【００２７】
排紙トレイ１６は、画像形成装置１から排出された紙葉類Ｐを支持するトレイである。例えば、排紙トレイ１６は、筐体１１の上面に設けられている。
【００２８】
画像形成部１７は、主制御部１９の制御に基づいて紙葉類Ｐに画像を形成する。例えば、画像形成部１７は、ドラムを帯電させ、帯電したドラムに印刷用の画像データ（印刷データ）に応じた潜像を形成し、ドラムに形成された潜像にトナーを付着させ、潜像に付着したトナーを紙葉類Ｐに転写して紙葉類Ｐ上に画像を形成する。
【００２９】
図３は、画像形成部１７の構成例について説明する為の説明図である。画像形成部１７は、例えば図３に示されるようにドラム４１、露光器４２、現像器４３、転写ベルト４４、１対の転写ローラ４５、及び１対の定着ローラ４６を備える。
【００３０】
ドラム４１は、円筒状に形成された感光ドラムである。ドラム４１は、転写ベルト４４と接するように設けられている。ドラム４１は、図示されない帯電チャージャによって表面が一様に帯電される。また、ドラム４１は、図示しない駆動機構によって回転方向Ｒに一定の速度で回転する。
【００３１】
露光器４２は、帯電したドラム４１に静電潜像を形成する。露光器４２は、印刷データに応じて発光素子などによりドラム４１の表面に光を照射することによって、ドラム４１の表面に静電潜像を形成する。露光器４２は、図３に示されるように発光部５１、レンズミラーアレイ５２、保護ガラス５３、遮光体５４、筐体５５、及び基板５６を備える。
【００３２】
発光部５１は、電気信号（画像信号）に応じて光を出射する発光素子がライン状に配列された構成を備える。発光部５１の発光素子の配列方向を主走査方向Ｍ２と称する。主走査方向Ｍ２は、複数の発光素子の光軸と直交し、且つドラム４１の回転軸と平行な方向である。なお、主走査方向Ｍ２は、上記のスキャナ部１３の主走査方向Ｍ１と同じであってもよいし、異なる向きであってもよい。発光部５１の発光素子は、帯電したドラム４１に潜像を形成することが可能な波長の光を出射する。例えば、発光素子は、画像信号に応じて各LEDが発光または消灯する発散光を出射するLEDまたはOLEDである。
【００３３】
レンズミラーアレイ５２は、発光部５１の発光素子から出射された光をドラム４１の表面に結像させる光学部品である。レンズミラーアレイ５２は、スキャナ部１３の備えるレンズミラーアレイ５２と同様の構成である。レンズミラーアレイ５２により光が結像される範囲は、ドラム４１の表面の長方形状の領域である。即ち、レンズミラーアレイ５２は、ドラム４１の表面の長方形状の領域内に発光部５１の複数の発光素子からの光に応じた像を形成する。なお、レンズミラーアレイ５２の詳細な構成については後述する。
【００３４】
保護ガラス５３は、レンズミラーアレイ５２とドラム４１との間に設けられる。保護ガラス５３は、レンズミラーアレイ５２を保護するガラスである。保護ガラス５３は、レンズミラーアレイ５２にトナー及び埃などが付着することを防ぐ。
【００３５】
遮光体５４は、レンズミラーアレイ５２と発光部５１との間に設けられる。遮光体５４は、光を遮光する部材である。遮光体５４は、例えば表面に遮光材が塗布された部材である。遮光体５４は、発光部５１から出射された光の一部を遮光する。例えば、遮光体５４は、発光部５１の発光素子の光軸から発光素子の光軸と直交する方向に所定距離以上離れた位置を通る光を遮光する。
【００３６】
筐体５５は、発光部５１、レンズミラーアレイ５２、保護ガラス５３、遮光体５４、及び基板５６を支持し且つ位置決めする部材である。また、筐体５５は、レンズミラーアレイ５２から出射される光の一部を遮光する遮光部を備える。遮光部は、ドラム４１に入射すると迷光となる光や、レンズミラーアレイ５２からドラム４１上の所定の結像範囲に入射しない方向に出射した光を遮光する。
【００３７】
基板５６は、発光部５１及び発光部５１を駆動するドライバなどが搭載された部品である。
【００３８】
露光器４２は、印刷データを基板５６に設けられたドライバに入力することによって、ドライバが発光部５１から光を出射させる。発光部５１から出射した光は、レンズミラーアレイ５２によりドラム４１上に結像される。露光器４２は、回転するドラム４１に対して、連続的に発光部５１からの光を結像させることにより、ドラム４１上に潜像を形成する。
【００３９】
現像器４３は、ドラム４１に形成された静電潜像にトナー（現像剤）を付着させる。これにより、現像器４３は、ドラム４１の表面にトナーの像（トナー像）を形成する。
【００４０】
なお、画像形成部１７のドラム４１、露光器４２、及び現像器４３は、例えば、シアン、マゼンダ、イエロー、及びブラック等の異なる色毎に設けられる。この場合、複数の現像器４３は、それぞれ異なる色のトナーを保持する。
【００４１】
転写ベルト４４は、ドラム４１の表面に形成されたトナー像を受け取り、紙葉類Ｐに転写する為の部材である。転写ベルト４４は、ローラの回転によって移動される。転写ベルト４４は、ドラム４１と接する位置において、ドラム４１に形成されたトナー像を受け取り、受け取ったトナー像を１対の転写ローラ４５に運ぶ。
【００４２】
１対の転写ローラ４５は、転写ベルト４４と紙葉類Ｐとを挟むように構成される。１対の転写ローラ４５は、転写ベルト４４上のトナー像を紙葉類Ｐに転写する。
【００４３】
１対の定着ローラ４６は、紙葉類Ｐを挟むように構成される。１対の定着ローラ４６は、図示されないヒータにより熱される。１対の定着ローラ４６は、熱された状態で、挟み込んだ紙葉類Ｐに対して圧力を加えることにより、紙葉類Ｐ上に形成されたトナー像を定着させる。即ち、１対の定着ローラ４６は、トナー像を定着させることにより紙葉類Ｐ上に画像を形成する。
【００４４】
搬送部１８は、紙葉類Ｐを搬送する。搬送部１８は、複数のガイドおよび複数のローラにより構成される搬送路と、搬送路による紙葉類Ｐの搬送位置を検出するセンサとを備える。搬送路は、紙葉類Ｐが搬送される経路である。搬送ローラは、主制御部１９の命令を受けた図示されない搬送制御部の制御に基づいて動作するモータによって回転することで、紙葉類Ｐを搬送路に沿って搬送する。また、複数のうちの一部のガイドは、搬送制御部の制御に基づいて動作するモータによって回転されることによって、紙葉類Ｐを搬送する搬送路を切り替える。
【００４５】
搬送部１８は、例えば図１に示されるように取込ローラ６１、給紙搬送路６２、排紙搬送路６３、及び反転搬送路６４を備える。
【００４６】
取込ローラ６１は、給紙カセット１５に収容されている紙葉類Ｐを給紙搬送路６２に取り込む。
【００４７】
給紙搬送路６２は、取込ローラ６１により給紙カセット１５から取り込まれた紙葉類Ｐを画像形成部１７に搬送する為の搬送路である。
【００４８】
排紙搬送路６３は、画像形成部１７により画像が形成された紙葉類Ｐを筐体１１から排出する為の搬送路である。排紙搬送路６３によって排出された紙葉類Ｐは、排紙トレイ１６に排出される。
【００４９】
反転搬送路６４は、画像形成部１７により画像が形成された紙葉類Ｐの表裏及び前後などを反転させた状態で紙葉類Ｐを再度画像形成部１７に供給する為の搬送路である。
【００５０】
主制御部１９は、画像形成装置１全体を制御する。主制御部１９は、ＣＰＵ等のプロセッサ、及びメモリを備える。主制御部１９は、プロセッサがメモリに記憶されているプログラムを実行することにより、各種の処理機能を実現する。主制御部１９は、スキャナ部１３を制御することにより、紙葉類Ｐから画像を取得する。また、主制御部１９は、画像形成部１７を制御することにより、紙葉類Ｐに対する画像の形成を制御する。例えば、主制御部１９は、画像形成部１７に印刷データを入力する。主制御部１９は、搬送制御部を制御することにより、紙葉類Ｐの搬送を制御する。
【００５１】
次に、レンズミラーアレイ３２及びレンズミラーアレイ５２について説明する。  
図４乃至図７は、レンズミラーアレイ３２及びレンズミラーアレイ５２の構成例について説明する為の説明図である。なお、レンズミラーアレイ３２及びレンズミラーアレイ５２は、同じ構成である為、本例では露光器４２に用いられるレンズミラーアレイ５２の例について説明する。
【００５２】
図４は、レンズミラーアレイ５２の斜視図である。レンズミラーアレイ５２は、レンズミラーアレイ５２の取付時等に用いられるフランジ部７１と、主走査方向Ｍ２に沿って複数配列された光学エレメント７２とを備える。レンズミラーアレイ５２は、金型用鋼のブランクにＮｉめっきを行い、そのＮｉ層を角部にＲがついている工具にて加工した金型を使って射出成形によって形成される。金型は、例えば入れ子構造になっている。入れ子構造の金型により、レンズミラーアレイ５２の複数の光学エレメント７２及びフランジ部７１が一体に形成される。なお、レンズミラーアレイ５２は、例えば透過性の樹脂またはガラスなどにより構成される。
【００５３】
フランジ部７１は、光学エレメント７２の配列方向におけるレンズミラーアレイ５２の両端に設けられる部材である。フランジ部７１は、レンズミラーアレイ５２の光学性能に影響を与えない為、露光器４２への取付時等に手で触れることが可能である。
【００５４】
光学エレメント７２は、入射した光を結像対象に結像させる機能を持つ。光学エレメント７２は、例えば、発光部５１の複数の発光素子からの光を、結像範囲に結像させる。
【００５５】
図５は、１つの光学エレメント７２をレンズミラーアレイ５２から切断して示す図である。また、図６は、１つの光学エレメント７２を主走査方向Ｍ２から見た場合の光について説明する為の説明図である。図７は、レンズミラーアレイ５２を図６のＣＣ線で切断した例について説明する為の説明図である。
【００５６】
光学エレメント７２は、第１のレンズ面８１、第１のレンズ面８１に入射した光を反射する第１のミラー面８２、第１のミラー面８２により反射した光を反射する第２のミラー面８３、及び第２のミラー面８３により反射した光を出射する第２のレンズ面８４を備える。第１のレンズ面８１、第１のミラー面８２、第２のミラー面８３、及び第２のレンズ面８４は、それぞれ光学エレメント７２の配列方向に直交する面である対称面Ａに対して面対称に構成されている。
【００５７】
光学エレメント７２は、物点Ｏからの光を結像点Ｆに結像させる。なお、光学エレメント７２がレンズミラーアレイ５２に形成されるものである場合、物点Ｏに発光部５１の発光素子が位置し、結像点Ｆにドラム４１の表面が位置する。また、光学エレメント７２がレンズミラーアレイ３２に形成されるものである場合、物点Ｏに原稿台１２の載置面２２上の長方形状の読取領域が位置し、結像点Ｆにイメージセンサ３１の画素が位置する。また、光学エレメント７２がレンズミラーアレイ３２に形成されるものである場合、主走査方向Ｍ２を主走査方向Ｍ１と読み替える事ができる。
【００５８】
第１のレンズ面８１は、表面が外方に突出した凸形状のレンズ面である。第１のレンズ面８１は、入射した光の中間倒立像を形成する。第１のレンズ面８１には、所定の物点Ｏからの光が入射する。例えば、第１のレンズ面８１は、発光部５１の複数の発光素子から出射された光が入射するように構成される。具体的には、第１のレンズ面８１は、光学エレメント７２のピッチの２倍乃至３倍の幅の中に配置された発送素子から出射された光が入射するように構成される。
【００５９】
第１のレンズ面８１は、例えば、対称面Ａに対して対称であり、且つ自由曲面形状で形成される。第１のレンズ面８１は、主走査方向Ｍ２に直交する面（例えば対称面Ａ）で第１のレンズ面８１を切断した場合の第１のレンズ面８１の曲率と、第１のレンズ面８１−第２のレンズ面８４間の方向と主走査方向Ｍ２とを含む面で第１のレンズ面８１を切断した場合の第１のレンズ面８１の曲率とが異なる面であってもよい。またさらに、主走査方向Ｍ２に直交する面で第１のレンズ面８１を切断した場合の第１のレンズ面８１の曲率は、対称面Ａに対して対称であれば一定でなくてもよい。またさらに、第１のレンズ面８１−第２のレンズ面８４間の方向と主走査方向Ｍ２とを含む面で第１のレンズ面８１を切断した場合の第１のレンズ面８１の曲率は、一定でなくてもよい。またさらに、主走査方向Ｍ２に直交する面で第１のレンズ面８１を切断した場合の第１のレンズ面８１の曲率は、対称面Ａに対して対称であり、且つ所定の変化量ずつ変化するものであってもよい。またさらに、第１のレンズ面８１−第２のレンズ面８４間の方向と主走査方向Ｍ２とを含む面で第１のレンズ面８１を切断した場合の第１のレンズ面８１の曲率は、所定の変化量ずつ変化するものであってもよい。また、第１のレンズ面８１は、球面であってもよい。
【００６０】
第１のミラー面８２は、第１のレンズ面８１に入射した光を反射する。即ち、第１のミラー面８２は、第１のレンズ面８１に入射して収束光となった光を反射し、反射後の光路の下流側で中間倒立像を形成する。第１のミラー面８２は、第１のレンズ面８１に入射した光を全反射またはフレネル反射により反射する。第１のミラー面８２は、主走査方向Ｍ２と直交する方向における光学エレメント７２の一方の側に平面状に形成される。
【００６１】
第２のミラー面８３は、第１のミラー面８２により反射した光を反射する。即ち、第２のミラー面８３は、第１のミラー面８２により反射した後に形成された中間倒立像から出てきた光を反射する。第２のミラー面８３は、第１のミラー面８２により反射した反射光を全反射またはフレネル反射により反射する。
【００６２】
第２のミラー面８３は、例えば、長方形状で形成され、内方に湾曲して形成される。第２のミラー面８３は、例えば、対称面Ａに対して対称であり、且つ自由曲面形状で形成される。第２のミラー面８３は、主走査方向Ｍ２に直交する面（例えば対称面Ａ）で第２のミラー面８３を切断した場合の第２のミラー面８３の曲率と、第１のレンズ面８１−第２のレンズ面８４間の方向と主走査方向Ｍ２とを含む面で第２のミラー面８３を切断した場合の第２のミラー面８３の曲率とが異なる面であってもよい。またさらに、主走査方向Ｍ２に直交する面で第２のミラー面８３を切断した場合の第２のミラー面８３の曲率は、対称面Ａに対して対称であれば一定でなくてもよい。またさらに、第１のレンズ面８１−第２のレンズ面８４間の方向と主走査方向Ｍ２とを含む面で第１のレンズ面８１を切断した場合の第２のミラー面８３の曲率は、一定でなくてもよい。またさらに、主走査方向Ｍ２に直交する面で第２のミラー面８３を切断した場合の第２のミラー面８３の曲率は、対称面Ａに対して対称であり、且つ所定の変化量ずつ変化するものであってもよい。またさらに、第１のレンズ面８１−第２のレンズ面８４間の方向と主走査方向Ｍ２とを含む面で第２のミラー面８３を切断した場合の第２のミラー面８３の曲率は、所定の変化量ずつ変化するものであってもよい。また、第２のミラー面８３は、球面であってもよい。また、第２のミラー面８３は、例えば平面状に形成されていてもよい。第２のミラー面８３は、主走査方向Ｍ２と直交する方向における光学エレメント７２の第１のミラー面８２と逆側に形成される。
【００６３】
第２のレンズ面８４は、表面が外方に突出した凸形状のレンズ面である。第２のレンズ面８４は、第２のミラー面８３と組み合わされて、第１のレンズ面８１により形成された中間倒立像の倒立像である正立像を形成する。第２のレンズ面８４から出射された光は、所定の結像点Ｆに入射する。例えば、第２のレンズ面８４から出射された光は、ドラム４１上の結像範囲の所定の位置に結像される。
【００６４】
第２のレンズ面８４は、例えば、対称面Ａに対して対称であり、且つ自由曲面形状で形成される。第２のレンズ面８４は、主走査方向Ｍ２に直交する面（例えば対称面Ａ）で第２のレンズ面８４を切断した場合の第２のレンズ面８４の曲率と、第１のレンズ面８１−第２のレンズ面８４間の方向と主走査方向Ｍ２とを含む面で第２のレンズ面８４を切断した場合の第２のレンズ面８４の曲率とが異なる面であってもよい。またさらに、主走査方向Ｍ２に直交する面で第２のレンズ面８４を切断した場合の第２のレンズ面８４の曲率は、対称面Ａに対して対称であれば一定でなくてもよい。またさらに、第１のレンズ面８１−第２のレンズ面８４間の方向と主走査方向Ｍ２とを含む面で第２のレンズ面８４を切断した場合の第２のレンズ面８４の曲率は、一定でなくてもよい。またさらに、主走査方向Ｍ２に直交する面で第２のレンズ面８４を切断した場合の第２のレンズ面８４の曲率は、対称面Ａに対して対称であり、且つ所定の変化量ずつ変化するものであってもよい。またさらに、第１のレンズ面８１−第２のレンズ面８４間の方向と主走査方向Ｍ２とを含む面で第２のレンズ面８４を切断した場合の第２のレンズ面８４の曲率は、所定の変化量ずつ変化するものであってもよい。また、第２のレンズ面８４は、球面であってもよい。
【００６５】
また、光学エレメント７２は、１対の第１の遮光面８５、第５の遮光面８６、第２の遮光面８７、及び第２の遮光面８７に形成された凹部８８を備える。
【００６６】
１対の第１の遮光面８５は、主走査方向Ｍ２において対称面Ａを挟む位置に設けられる。即ち、１対の第１の遮光面８５は、対称面Ａと所定距離離れた位置に主走査方向Ｍ２に沿って配列される。第１の遮光面８５は、第１のミラー面８２と辺を共有する。第１の遮光面８５は、第１のミラー面８２と鈍角を成し、且つ対称面Ａに対して入射側に向かう鋭角を成す。
【００６７】
また、図７に示されるように、第１の遮光面８５は、レンズミラーアレイとほぼ同じ屈折率を持った遮光性の高いインク（例えばカーボンブラックや黒色顔料などの遮光材料を含有させたＵＶインク）が塗布されて形成された、光を遮光する遮光層８９を有する。第１の遮光面８５は、遮光層８９を備えることにより、第１の遮光面８５から光学エレメント７２の内側に光が反射されること、及び外方に光が出射されることを防ぐ。
【００６８】
また、上記のような第１の遮光面８５が各光学エレメント７２に形成されることにより、２つの光学エレメント７２の間には両側が第１の遮光面８５として構成される溝が形成される。この溝の底部９２にも遮光層８９が形成される。これにより、溝の底部９２から光学エレメント７２の内側に光が反射されること、及び外方に光が出射されることを防ぐ。
【００６９】
図７は、図６のＣＣ線で切断したレンズミラーアレイ５２を第１のミラー面８２と平行且つ主走査方向Ｍ２と直交する方向から見た図である。レンズミラーアレイ５２は、上記のように射出成形によって形成される為、梁部には、曲面が形成される。例えば、図７に示されるように、第１のミラー面８２と第１の遮光面８５との間の梁部には曲面９０が形成される。
【００７０】
硬化前のＵＶインクが曲面９０全域を覆い且つ第１のミラー面８２に達する量で塗布される場合、ＵＶインクが第１のミラー面８２上に広がる可能性がある。この為、ＵＶインクは、曲面９０の全域を覆わない量で塗布される。即ち、遮光層８９は、ＵＶインクが第１のミラー面８２に付着することを防ぐ為に、少なくとも第１の遮光面８５の全域を覆い且つ曲面９０の全域に至らない範囲で形成される。また、図７に示されるように、第１の遮光面８５と第１のミラー面８２とが鈍角を成すように形成されていることにより、レンズミラーアレイ５２を金型から容易に剥離することができる。
【００７１】
なお、光学エレメント７２は、第１のミラー面８２の出射側に近い端辺に連続し、且つ第１のミラー面８２と鈍角を成す第４の遮光面９１をさらに備えていてもよい。第４の遮光面９１にも第１の遮光面８５と同様にＵＶインクが塗布されて遮光層８９が形成されている。第４の遮光面９１は、遮光層８９を備えることにより、第１のミラー面８２で反射し且つ対称面Ａと所定距離離れた位置を進む光と、第１のミラー面８２で反射し且つ直接第２のレンズ面８４へ進む光とを遮光する。
【００７２】
第５の遮光面８６は、第１の遮光面に対して対称面Ａ側に傾斜した面である。例えば、第５の遮光面８６は、第１の遮光面８５から第１の遮光面８５と直交する方向に窪んだ凹部の一部として構成される。即ち、第５の遮光面８６は、第１の遮光面８５と共に山型形状を成す面として構成される。
【００７３】
第５の遮光面８６は、平面状に形成されていても曲面として形成されていてもよい。例えば、第５の遮光面８６は、１方向の曲率を有する曲面として形成される。即ち、第５の遮光面８６は、第１のミラー面８２と平行な面で切断した場合に、曲率中心が第１の遮光面８５よりも光学エレメント７２の内方に位置する所定の曲率の弧となるように形成される。即ち、第５の遮光面８６は、円筒状の一部に相当する形状で形成される。また、第５の遮光面８６は、第１のミラー面８２と平行な面で切断した場合に、曲率中心が第１の遮光面８５よりも光学エレメント７２の内方に位置し、且つ第１のミラー面８２側に近づくほど大きい曲率の弧となるように形成されていてもよい。即ち、第５の遮光面８６は、円錐台状の一部に相当する形状で形成されていてもよい。
【００７４】
また、第５の遮光面８６にも第１の遮光面８５と同様にＵＶインクが塗布されて遮光層８９が形成されている。第５の遮光面８６は、遮光層８９を備えることにより、対称面Ａと所定距離離れた位置を進む光を遮光する。
【００７５】
なお、第５の遮光面８６と第４の遮光面９１との間は、例えば第１のミラー面８２と鈍角を成し、且つ第１の遮光面８５と平行な面として構成される。また、この面にも遮光層８９が設けられていてもよい。また、この面は、第１のミラー面８２と鈍角を成し、且つ対称面Ａに対して入射側に向かう鋭角を成す面であれば、如何なる面であってもよい。
【００７６】
第２の遮光面８７は、主走査方向Ｍ２と直交する方向における光学エレメント７２の第１のミラー面８２が設けられた側と同じ側であって、第１のミラー面８２よりも第２のレンズ面８４に近い側に形成される。第２の遮光面８７は、例えば平面状に形成される。例えば、第２の遮光面８７は、第４の遮光面９１の第１のミラー面８２と逆側の辺から第２のレンズ面８４に亘って形成される。即ち、第２の遮光面８７は、第４の遮光面９１と辺を共有するように構成される。また、第２の遮光面８７は、２つの光学エレメント７２の間に形成される溝の底部９２から面が連続するように形成される。また、第２の遮光面８７は、第２のミラー面８３と第２のレンズ面８４との間における対称面Ａに対して第２のミラー面８３に向かう鋭角を成す。
【００７７】
また、第２の遮光面８７にもＵＶインクが塗布されて遮光層８９が形成されている。第２の遮光面８７は、遮光層８９を備えることにより、第１のミラー面８２で反射されずに空気中に出射し、第２の遮光面８７に入射した光が、再度光学エレメント７２を構成する構造内に入射することを防ぐことができる。
【００７８】
凹部８８は、第２の遮光面８７から第２の遮光面８７と直交する方向に窪んで形成された部分である。即ち、凹部８８は、第１のレンズ面８１から第２のレンズ面８４の間の方向において第１のミラー面８２よりも出射側に設けられる。
【００７９】
凹部８８は、主走査方向Ｍ２において、２つの光学エレメント７２の間に形成される。即ち、凹部８８は、隣り合う２つの光学エレメント７２に亘って形成される。このように凹部８８が各光学エレメント７２に形成されることにより、凹部８８毎に対向する１対の遮光面である第３の遮光面９３が形成される。
【００８０】
第３の遮光面９３は、主走査方向Ｍ２に対して傾斜した面である。即ち、第３の遮光面９３は、主走査方向Ｍ２に対して角度を成す面である。例えば、第３の遮光面９３は、平面状に形成される。
【００８１】
また、例えば、凹部８８の２つの第３の遮光面９３の間の底部９４は、２つの光学エレメント７２の間に形成される溝の底部９２に連続するように形成される。
【００８２】
また、凹部８８の各面にもＵＶインクが塗布されて遮光層８９が形成されている。凹部８８は、遮光層８９が形成された第３の遮光面９３により、光の進行方向が主走査方向Ｍ２に沿った方向の成分を含み且つ他の光学エレメント７２に進入する光を遮光する。
【００８３】
図８は、レンズミラーアレイ５２に入射した光の光路について説明する為の説明図である。例えば、レンズミラーアレイ５２のある光学エレメント７２の対称面Ａに沿って物点Ｏから第１のレンズ面８１に入射した光は、第１のミラー面８２、第２のミラー面８３の順に反射され、第２のレンズ面８４から光学エレメント７２の結像点Ｆに出射される。
【００８４】
複数の光学エレメント７２が一体に形成されたレンズミラーアレイ５２において、第１のレンズ面８１から入射して対称面Ａから所定距離離れた位置を通る光の一部が、第１のミラー面８２と第１の遮光面８５との間の梁部に形成された曲面９０に入射する場合がある。曲面９０に入射した光は、曲面９０上で光が当たった場所の傾斜に応じた方向に反射される為、反射光が様々な方向へ進み、他の光学エレメント７２に進入する迷光になる可能性がある。
【００８５】
しかしながら、光学エレメント７２は、第１の遮光面８５に対して対称面Ａ側に傾斜した第５の遮光面８６を備える。これにより、光学エレメント７２は、図８に示す光路Ｌ１を通る光のように、曲面９０に入射する角度で進む光の一部を遮光することができる。この結果、光学エレメント７２は、迷光を減少させることができる。
【００８６】
また、光学エレメント７２は、第１のミラー面８１よりも出射側に設けられ、且つ主走査方向Ｍ２に対して角度を成す第３の遮光面９３を備える。これにより、光学エレメント７２は、図８に示す光路Ｌ２を通る光のように、曲面９０で反射して他の光学エレメント７２に入射する角度で進む光の一部を遮光することができる。この結果、光学エレメント７２は、迷光を減少させることができる。
【００８７】
上記のように、レンズミラーアレイ５２は、光が入射する第１のレンズ面８１、第１のレンズ面８１に入射した光を反射する第１のミラー面８２、第１のミラー面８２により反射した光を反射する第２のミラー面８３、第２のミラー面８３により反射した光を出射する第２のレンズ面８４を備える光学エレメント７２が複数配列されて構成される。さらに、光学エレメント７２は、レンズミラーアレイ５２の光学エレメント７２の配列方向において第１のレンズ面８１及び第２のレンズ面８４により定まる対称面Ａを挟む位置に第１のミラー面８２と辺を共有して形成された１対の第１の遮光面８５と、第１の遮光面８５に対して対称面Ａ側に傾斜した第５の遮光面８６と、第１の遮光面８５及び第５の遮光面８６に亘って形成された遮光層８９とを備える。この構成により、レンズミラーアレイ５２は、第１のミラー面８２と第１の遮光面８５との間に形成される曲面９０に入射する光の一部、および、曲面９０から反射された光の一部を遮光することができる。この結果、レンズミラーアレイ５２は、曲面９０に反射して迷光になる光を減少させることができる。
【００８８】
また、第５の遮光面８６は、第１のミラー面８２と平行な面における断面が、曲率中心が第１の遮光面８５よりも対称面Ａ側に位置する曲率の弧として形成されている。これにより、第５の遮光面８６の対称面Ａに対する傾斜を大きくすることができる。この構成により、レンズミラーアレイ５２は、曲面９０に入射する光をより多く遮光することができる。この結果、レンズミラーアレイ５２は、曲面９０に反射して迷光になる光を減少させることができる。
【００８９】
また、第１の遮光面８５は、対称面Ａに対して入射側に向かう鋭角を成すように構成されている。これにより、１対の第１の遮光面８５の間隔を入射側に近くなるほど狭くすることができる。この結果、曲面９０に入射する光の進行方向を制限することができる。また、第１の遮光面８５に連続する第５の遮光面８６の対称面Ａに対向する面積を増やすことができる。この結果、レンズミラーアレイ５２は、曲面９０に反射して迷光になる光を減少させることができる。
【００９０】
なお、レンズミラーアレイ５２を射出成形する為の金型を削る工程を簡易にする為に、第５の遮光面８６の曲率半径は、光学エレメント７２における１対の第１の遮光面８５間で最も広い間隔の１／８以上の曲率半径で構成されることが望ましい。この構成によると、第５の遮光面８６の曲率半径に相当する径の工具（例えば正面フライスやエンドミル）を対称面Ａと第１のミラー面８２とにほぼ平行な方向に２往復させることによって第１の遮光面８５、第５の遮光面８６、及び第４の遮光面９１を射出成形する為の金型の構造を形成することができる。即ち、第５の遮光面８６の曲率半径が光学エレメント７２における１対の第１の遮光面８５間で最も広い間隔の１／８以上の曲率半径で構成されることにより、金型の加工時間を短縮することができる。なお、第５の遮光面８６の曲率半径は、小さい方が大きい方に比べて迷光の遮光の効果が大きい。この為、第５の遮光面８６の曲率半径は、光学エレメント７２における１対の第１の遮光面８５間で最も広い間隔の１／８以上であり極力小さい値であることが望ましい。
【００９１】
第５の遮光面８６の曲率半径は、光学エレメント７２における１対の第１の遮光面８５間で最も広い間隔の１／４以上の曲率半径で構成されることがさらに望ましい。この構成によると、第５の遮光面８６の曲率半径に相当する径の工具（例えば正面フライスやエンドミル）を対称面Ａと第１のミラー面８２とにほぼ平行な方向に１往復させることによって第１の遮光面８５、第５の遮光面８６、及び第４の遮光面９１を射出成形する為の金型の構造を形成することができる。即ち、第５の遮光面８６の曲率半径が光学エレメント７２における１対の第１の遮光面８５間で最も広い間隔の１／４以上の曲率半径で構成されることにより、金型の加工時間をさらに短縮することができる。
【００９２】
さらに、第１のミラー面８２の面を連続的に加工するためには、第５の遮光面８６の曲率半径は、第１のミラー面のもっとも狭い箇所の幅の半分以下である必要がある。この条件を満たさないと、狭い場所の前後でいったん工具を金型から離して、工具を狭い場所を避けて移動し、再度、同じ高さまで下げて加工する必要がでてきてしまう。このようにすると、第１のミラー面８２に段差ができてしまい、光学性能が落ちてしまう。
【００９３】
また、光学エレメント７２は、主走査方向Ｍ２と直交する方向における光学エレメント７２の第１のミラー面８２が設けられた側と同じ側であって、第１のミラー面８２よりも第２のレンズ面８４に近い側に形成された第２の遮光面８７を備える。さらに、レンズミラーアレイ５２は、隣り合う２つの光学エレメント７２に亘って第２の遮光面８７と直交する方向に窪んで形成された凹部８８を備える。レンズミラーアレイ５２は、凹部８８毎に対向し、且つ主走査方向Ｍ２に対して傾斜した１対の遮光面である第３の遮光面９３と、第２の遮光面８７及び第３の遮光面９３に亘って形成された遮光層８９とを備える。この構成により、レンズミラーアレイ５２は、曲面９０で反射して他の光学エレメント７２に入射する角度で進む光の一部を遮光することができる。この結果、光学エレメント７２は、迷光を減少させることができる。
【００９４】
また、第３の遮光面９３を構成する凹部８８は、隣り合う２つの光学エレメント７２に亘り、且つ光学エレメント７２の配列方向において対称面Ａと所定距離離れた位置に形成される。この為、迷光でない、結像に寄与する光が第３の遮光面９３により遮られることはないか、遮られる量をごくわずかな量とすることができる。
【００９５】
また、レンズミラーアレイ５２の向かい合う２つの第１の遮光面８５の間の底部９２と、凹部８８の底部９４とが連続した面として構成されている。即ち、凹部８８の底部９４は、隣り合う光学エレメント７２において対向する２つの第１の遮光面８５の間の面である底部９２と連続した面として形成される。このような構成にすることにより、ＵＶインクを遮光面８７に塗布すれば、遮光面８５や底部９２にＵＶインクが切れ目なく拡がっていく。この結果、遮光膜形成のための工数を削減しつつ、欠陥のない遮光膜を形成することができ、光学エレメント７２は、迷光を減少させることができる。
【００９６】
（第２の実施形態）  
なお、上記の第１の実施形態では、光学エレメント７２は、第１のレンズ面８１と第４の遮光面９１との間に１対の第５の遮光面８６を備える構成として説明したが、この構成に限定されない。レンズミラーアレイ５２の光学設計によっては、曲面９０の広い範囲に光が入射して迷光が発生する可能性がある。そこで、光学エレメント７２は、第１のレンズ面８１と第４の遮光面９１との間に複数対の第５の遮光面８６を備えることによって、曲面９０の広い範囲に入射する方向で進む光を遮光することができる。
【００９７】
図９及び図１０は、複数対の第２の遮光面を備える光学エレメントが配列されたレンズミラーアレイの一部の構成を示す図である。図９は、２対の第５の遮光面８６Ａを備えるレンズミラーアレイ５２Ａの一部の構成を示す図である。図１０は、３対の第５の遮光面８６Ｂを備えるレンズミラーアレイ５２Ｂの一部の構成を示す図である。
【００９８】
図９に示されるように、レンズミラーアレイ５２Ａは、主走査方向に配列された複数の光学エレメント７２Ａを備える。光学エレメント７２Ａは、第１のレンズ面８１、第１のミラー面８２、第２のミラー面８３、第２のレンズ面８４、２対の第１の遮光面８５Ａ、及び２対の第５の遮光面８６Ａ、第２の遮光面８７、第２の遮光面８７に形成された凹部８８、第４の遮光面９１、及び凹部８８の面である第３の遮光面９３を備える。
【００９９】
２対の第１の遮光面８５Ａは、第１の遮光面８５と同様に、主走査方向Ｍ２において対称面Ａを挟む位置に設けられ、第１のミラー面８２と鈍角を成し、且つ対称面Ａに対して入射側に向かう鋭角を成す面である。
【０１００】
２対の第５の遮光面８６Ａは、第５の遮光面８６と同様に、第１の遮光面８５Ａに対して対称面Ａ側に傾斜した面である。
【０１０１】
なお、第１のレンズ面８１から第４の遮光面９１に向かって、第１の遮光面８５Ａ、第５の遮光面８６Ａ、第１の遮光面８５Ａ、第５の遮光面８６Ａの順に面が連続している。また、対を成す第５の遮光面８６Ａの間隔は、入射側に近くなるほど広く形成されている。
【０１０２】
また、図１０に示されるように、レンズミラーアレイ５２Ｂは、主走査方向に配列された複数の光学エレメント７２Ｂを備える。光学エレメント７２Ｂは、第１のレンズ面８１、第１のミラー面８２、第２のミラー面８３、第２のレンズ面８４、３対の第１の遮光面８５Ｂ、及び３対の第５の遮光面８６Ｂ、第２の遮光面８７、第２の遮光面８７に形成された凹部８８、第４の遮光面９１、及び凹部８８の面である第３の遮光面９３を備える。
【０１０３】
３対の第１の遮光面８５Ｂは、第１の遮光面８５及び第１の遮光面８５Ａと同様に、主走査方向Ｍ２において対称面Ａを挟む位置に設けられ、第１のミラー面８２と鈍角を成し、且つ対称面Ａに対して入射側に向かう鋭角を成す面である。
【０１０４】
３対の第５の遮光面８６Ｂは、第５の遮光面８６及び第５の遮光面８６Ａと同様に、第１の遮光面８５Ｂに対して対称面Ａ側に傾斜した面である。
【０１０５】
なお、第１のレンズ面８１から第４の遮光面９１に向かって、第１の遮光面８５Ｂ、第５の遮光面８６Ｂ、第１の遮光面８５Ｂ、第５の遮光面８６Ｂ、第１の遮光面８５Ｂ、第５の遮光面８６Ｂの順に面が連続している。また、対を成す第５の遮光面８６Ｂの間隔は、入射側に近くなるほど広く形成されている。
【０１０６】
上記のような構成によると、レンズミラーアレイ５２は、曲面９０で反射した光を出射側の第５の遮光面８６Ａまたは第５の遮光面８６Ｂによって遮光することができる。この結果、光学エレメント７２は、迷光を減少させることができる。
【０１０７】
なお、上記の実施形態では、イメージセンサ３１は、光を電気信号（画像信号）に変換する画素がライン状に配列されて構成されると説明したが、この構成に限定されない。イメージセンサ３１は、光を電気信号（画像信号）に変換する画素が複数列ライン状に配列されて構成されていてもよい。この場合、スキャナ部１３は、読取範囲からの光をイメージセンサ３１の各列の画素に結像させる為に、イメージセンサ３１の画素の各列に対応する複数のレンズミラーアレイ３２を備える。また、スキャナ部１３は、読取範囲からの光をイメージセンサ３１の各列の画素に結像させる為に、イメージセンサ３１の各列の画素を含む領域に結像させる１つのレンズミラーアレイ３２を備えていてもよい。また、イメージセンサ３１は、各列毎に異なる波長の光に感度を有する画素が配列された構成を備えていてもよい。またさらに、イメージセンサ３１は、赤、緑、青の各色の波長の光に感度を有する画素が２列に亘って千鳥状に配列された構成を備えていてもよい。
【０１０８】
また、上記の実施形態では、発光部５１は、電気信号（画像信号）に応じて光を出射する発光素子がライン状に配列されて構成されると説明したが、この構成に限定されない。発光部５１は、電気信号（画像信号）に応じて光を出射する発光素子が複数列ライン状に配列されて構成されていてもよい。この場合、露光器４２は、発光素子の各列からの光をそれぞれドラム４１の表面に結像させる為に、発光部５１の発光素子の各列に対応する複数のレンズミラーアレイ７２を備える。また、露光器４２は、発光素子の各列からの光をそれぞれドラム４１の表面に結像させる為に、発光部５１の各列の発光素子を含む領域からの光をそれぞれドラム４１の表面に結像させる１つのレンズミラーアレイ７２を備えていてもよい。また、発光部５１は、各列毎に異なる波長の光を発する発光素子が配列された構成を備えていてもよい。またさらに、発光部５１は、赤、緑、青の各色の波長の光を発する発光素子が２列に亘って千鳥状に配列された構成を備えていてもよい。
【０１０９】
また、上記の実施形態では、レンズミラーアレイが用いられる画像形成装置の例として、紙葉類にトナーによって画像を形成するプリンタ、及び紙葉類からの反射光を読み取って画像を形成するスキャナとを例に挙げたが、この構成に限定されない。レンズミラーアレイは、読取範囲からの光を結像対象に結像させるものであれば、如何なるものに用いられてもよい。例えば、レンズミラーアレイは、複数の異なる色を発するOLED光源が二次元的に配置された発光部からの光を感光材料の表面に結像させることにより画像を形成する銀塩プリント装置に用いられてもよい。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１１】
１…画像形成装置、１１…筐体、１２…原稿台、１３…スキャナ部、１４…自動原稿搬送部、１５…給紙カセット、１６…排紙トレイ、１７…画像形成部、１８…搬送部、１９…主制御部、２１…ガラス板、２２…載置面、３１…イメージセンサ、３２…レンズミラーアレイ、３３…照明、３４…遮光体、３５…筐体、３６…基板、４１…ドラム、４２…露光器、４３…現像器、４４…転写ベルト、４５…転写ローラ、４６…定着ローラ、５１…発光部、５２…レンズミラーアレイ、５３…保護ガラス、５４…遮光体、５５…筐体、５６…基板、６１…取込ローラ、６２…給紙搬送路、６３…排紙搬送路、６４…反転搬送路、７１…フランジ部、７２…光学エレメント、８１…第１のレンズ面、８２…第１のミラー面、８３…第２のミラー面、８４…第２のレンズ面、８５…第１の遮光面、８６…第５の遮光面、８７…第２の遮光面、８８…凹部、８９…遮光層、９０…曲面、９１…第４の遮光面、９２…底部、９３…第３の遮光面、９４…底部。
【図１】
2018128644.tif 000003
【図２】
2018128644.tif 000004
【図３】
2018128644.tif 000005
【図４】
2018128644.tif 000006
【図５】
2018128644.tif 000007
【図６】
2018128644.tif 000008
【図７】
2018128644.tif 000009
【図８】
2018128644.tif 000010
【図９】
2018128644.tif 000011
【図１０】
2018128644.tif 000012